(57)【要約】【課題】ハンドルスイッチの状態に係わらずに不正に外扉が開放されたことを検知して警報を発することが可能な自動販売機の防犯警報装置を提供する。【解決手段】外扉をロック，アンロックするハンドルロック、外扉の開閉を検知する扉スイッチＳＷと、前記外扉の開放を許容する時間帯を任意に設定する外扉開放設定手段と、前記外扉開放設定手段により任意に設定された時間帯以外の時間帯と扉スイッチＳＷの状態信号に基づいて外扉の不正な開放を検知する不正外扉開放検知手段、この不正外扉開放検知手段により外扉が不正に開放された場合に警報を発する不正報知手段を備え、外扉開放設定手段により任意に設定される外扉の開放を許容する時間帯（メンテナンス時）には警報を発することがない一方、外扉開放設定手段により任意に設定される外扉の開放を許容する時間帯以外の時間帯にはハンドルスイッチに係わらず扉スイッチＳＷにより外扉の開放が検知されると警報を発することができる。【選択図】図２
2016081294.tif 000002
【特許請求の範囲】
【請求項１】
商品を収納した自動販売機本体と、この自動販売機本体の前面に開閉自在に配設された外扉と、前記外扉に配設され、前記外扉を自動販売機本体の前面を閉鎖した状態にロックおよびアンロックするハンドルロックと、前記外扉の開閉を検知する扉スイッチと、前記外扉の開放を許容する任意の時間帯を設定する外扉開放設定手段と、前記外扉開放設定手段により任意に設定された時間帯以外の時間帯と扉スイッチの状態信号に基づいて外扉の不正な開放を検知する不正外扉開放検知手段、この不正外扉開放検知手段により外扉が不正に開放された場合に警報を発する不正報知手段を備えたことを特徴とする自動販売機の防犯警報装置。
【請求項２】
請求項１に記載の自動販売機の防犯警報装置において、不正報知手段は、警報ブザーであることを特徴とする自動販売機の防犯警報装置。
【請求項３】
請求項１に記載の自動販売機の防犯警報装置において、不正報知手段は、商品選択ボタンに内蔵された光源の発光、若しくはディスプレイ室を照明する光源の発光であることを特徴とする自動販売機の防犯警報装置。
【請求項４】
請求項３に記載自動販売機の防犯警報装置において、商品選択ボタンに内蔵された光源は、売切れを表示する光源であることを特徴とする自動販売機の防犯警報装置。
【発明の詳細な説明】
【技術分野】
【０００１】
この発明は、商品を収納した自動販売機本体の前面に開閉可能に設けられた外扉が備えられた自動販売機に係り、この種の自動販売機の外扉が正規の手順に従わずに開放された際に警報を発する自動販売機の防犯警報装置に関する。
【背景技術】
【０００２】
この種の自動販売機、例えば、缶入り飲料，ペットボトル入り飲料などの商品を販売する清涼飲料自動販売機は、断熱筐体としてなる自動販売機本体の商品収納庫内に前記商品をコールド，ホット状態に区分して保存するとともに外扉のディスプレイ室内に複数の商品見本を左右に並べて展示し、前記商品見本に対応して設けられた商品選択ボタンの操作に基いて選択された商品を販売するように構成されている。この種の自動販売機について図３および図４を用いて説明する。
【０００３】
この自動販売機は、図３、図４に示すように、前面が開口した自動販売機本体１０と、自動販売機本体１０の前面における一方の側壁にヒンジにより開閉可能に支持された片開き式の外扉２０とを備え、前記自動販売機本体１０は鋼板製の外箱の内側、すなわち、上壁，左右側壁，背壁および底壁１０ａにウレタンフォームからなる断熱ボードを配設して断熱筐体として構成されている。前記自動販売機本体１０の断熱ボードで囲まれた商品収納庫内は断熱仕切板３０により左右方向に複数の商品収納室１１，１２，１３に区画されている。前記各商品収納室１１，１２，１３には、この例ではサーペンタイン方式と呼ばれる蛇行した商品収納通路を有し、下端に商品搬出装置を有する商品収納ラック４０がそれぞれ収容設置されるとともに、前記商品収納ラック４０の下部には商品搬出装置により切り出された商品が滑動ないしは転動する前傾姿勢の商品搬出シュータ６０が配設され、当該商品搬出シュータ６０の下部であって各商品収納室の下端には、当該各商品収納室を冷却もしくは加熱して商品ラックに収納した商品をコールド・ホット状態に保存する冷却／加熱ユニットが配設されている。前記自動販売機本体１０の前面には内扉５０が配設され、この例では内扉５０が上下の上内扉５０１と下内扉５０２に分割されている。下内扉５０２には各商品収納室１１，１２，１３の商品収納ラック４０から払い出された商品を送出する商品搬出シュータ６０と対峙する位置に搬出扉５０ａを有する商品搬出口が設けられている。前記搬出扉５０ａは上端入口を軸支されて垂下するとともに自重により商品搬出口を閉塞して冷気若しくは暖気の流出を防止しており、商品搬出シュータ６０を介して搬出される商品により押し開かれ、当該商品を外扉２０の商品取出口２６に送出するように形成されている。また、自動販売機本体１０の開放前端部には外扉２０の開閉状態を検出するマイクロスイッチなどの扉スイッチＳＷが設けられている。
【０００４】
前記外扉２０の前面の上部域は商品見本を展示する透明板で覆われたディスプレイ室７０として形成され、前記透明板の前面には商品選択ボタンユニット８０が設けられ、商品選択ボタンユニット８０には展示された商品見本８１に対応して設けられた商品選択ボタン８２を有している。また、外扉２０の前面には硬貨投入口２１、紙幣挿入口２２、返却レバー２３、硬貨返却口２４、硬貨，紙幣の投入金額を表示するとともにブザーを内蔵した表示ユニット２５、商品取出口２６、およびハンドルロック２７などが設けられている。
【０００５】
前記ハンドルロック２７の背後における自動販売機本体１０と外扉２０との間には不図示のフック金具と上下にスライド移動可能なスライダとからなるロック機構が設けられている。フック金具は自動販売機本体１０の他方の側壁にその開口端部から前方に突出するように設けられる一方、スライダは外扉２０の反ヒンジ側端部に上下方向にスライド移動自在に配設されている。前記ハンドルロック２７は、図３の（ｂ）に示すように、外扉２０に装着されるハンドルケース２７１と、このハンドルケース２７１に組み込まれた操作ハンドル２７２と、この操作ハンドル２７２の枢軸部に嵌め込み固定されたキーシリンダー２７３とを備えている。このハンドルロック２７は、キーによりキーシリンダー２７３が開錠されると当該シリンダー錠２７３により鎖錠されていた操作ハンドル２７２がハンドルケース２７１より前方にポップアップし（図３の（ｂ）の状態）、このポップアップされた操作ハンドル２７２が回動されると操作ハンドル２７２の後端に配設した操作レバー（不図示）を介して前記スライダを上昇させて自動販売機本体１０に設けたフック金具から離脱させてロック機構によるロックを解除するように構成されている。また、前記ハンドルケース２７１には操作ハンドル格納用の凹所（窪み）２７１ａが設けられ、当該凹部２７１ａの背後には、操作ハンドル２７２の凹部への格納状態を検知するマイクロスイッチなどのハンドルスイッチ（不図示）が設けられている。
【０００６】
このハンドルロック２７は、前記外扉２０のスライダを自動販売機本体１０のフック金具に係合させてロック機構をロックした状態において前記操作ハンドル２７２がハンドルケース２７１の凹部２７１ａに押し込まれ、キーシリンダー２７３の施錠により操作ハンドル２７２がハンドルケース２７１の格納位置に拘束保持されている。この場合、操作ハンドル２７２がハンドルケース２７１の凹所２７１ａの中に没入するとハンドルスイッチのアクチュエータが押圧される。
【０００７】
かかる構成において、外扉２０を正規の手順で開放するには、まず、キーシリンダー２７３にキーを差し込んで開錠（手順１）すると当該キーシリンダー２７３のロータが回転して操作ハンドル２７２の格納位置への拘束保持が解除されて操作ハンドル２７２が前方の突出位置にポップアップするので、ポップアップした操作ハンドル２７２に手を掛けて回転操作すると外扉２０のスライダが上方にスライド移動して自動販売機本体１０のフック金具との係合が解かれてロック機構がアンロック状態となることにより外扉２０の開放が可能となり、外扉２０を開放すると扉スイッチＳＷのアクチュエータが押圧される（手順２）。ここで、ハンドルスイッチの動作により手順１が実行されたものとし、扉スイッチ２０の動作により手順２が実行されたものとし、ハンドルスイッチおよび扉スイッチの動作信号の論理積により手順１から手順２の経過に従って外扉２０が開放されたと見做して外扉２０が正規の手順に従って開放されものと見做している。
【０００８】
ところで、この種の自動販売機においては、キーの操作による正規の手順に従わずに外扉２０が開放されて自動販売機内部の金品や商品の盗難にあう悪戯行為が横行している。このために前述したハンドルスイッチおよび扉スイッチ２０の状態信号に基づいて正規の手順に従わずに外扉が不正に開放されたことを検知するとともに警報を発するようにしたものが周知である（例えば、特許文献１）。この特許文献１に開示された発明によれば、常閉接点からなるハンドルスイッチがオフ状態（ハンドルロック２７の操作ハンドル２７２がハンドルケース２７１に格納された状態）で常開接点からなる扉スイッチ２０がオン（外扉２０が開放）した場合にブザーを鳴動させるように構成されている。
【先行技術文献】
【特許文献】
【０００９】
【特許文献１】特開平７−２７２０８９号公報
【発明の概要】
【発明が解決しようとする課題】
【００１０】
ところで、前記特許文献１に開示された周知技術によれば、自動販売機が稼働している時間帯（２４時間）に正規の手順に従わずに不正に外扉が開放された場合には警報を発するように構成されており、四六時中不正による外扉の開放を監視することができる点で優れている。しかしながら、自動販売機の悪戯行為としてハンドルロック２７が狙われることがあり、悪戯行為によってキーシリンダー２７３が破壊されて操作ハンドル２７２が前方の突出位置にポップアップした場合にはハンドルスイッチがオンとなるので、不正による外扉の開放を検知することができなくなる。また、キーシリンダー２７のキーを不当に入手して外扉２０が開放された場合には最早警報を発することができないという課題を有する。
【００１１】
本発明は上記の点に鑑みなされたものであり、その目的は前記課題を解決し、ハンドルスイッチの状態に係わらずに不正に外扉が開放されたことを検知して警報を発することが可能な自動販売機の防犯警報装置を提供することにある。
【課題を解決するための手段】
【００１２】
上記目的を達成するために請求項１にかかる発明は、商品を収納した自動販売機本体と、この自動販売機本体の前面に開閉自在に配設された外扉と、前記外扉に配設され、前記外扉を自動販売機本体の前面を閉鎖した状態にロックおよびアンロックするハンドルロックと、前記外扉の開閉を検知する扉スイッチと、前記外扉の開放を許容する任意の時間帯を設定する外扉開放設定手段と、前記外扉開放設定手段により任意に設定された時間帯以外の時間帯と扉スイッチの状態信号に基づいて外扉の不正な開放を検知する不正外扉開放検知手段、この不正外扉開放検知手段により外扉が不正に開放された場合に警報を発する不正報知手段を備えたことを特徴とする。
【００１３】
また、請求項２にかかる発明は、請求項１に記載の自動販売機の防犯警報装置において、不正報知手段は、警報ブザーであることを特徴とする。
【００１４】
また、請求項３にかかる発明は、請求項１に記載の自動販売機の防犯警報装置において、不正報知手段は、商品選択ボタンに内蔵された光源の発光、若しくはディスプレイ室を照明する光源の発光であることを特徴とする。
【００１５】
また、請求項４にかかる発明は、請求項３に記載自動販売機の防犯警報装置において、商品選択ボタンに内蔵された光源は、売切れを表示する光源であることを特徴とする。
【発明の効果】
【００１６】
本発明の請求項１に係る自動販売機の防犯警報装置によれば、商品を収納した自動販売機本体と、この自動販売機本体の前面に開閉自在に配設された外扉と、前記外扉に配設され、前記外扉を自動販売機本体の前面を閉鎖した状態にロックおよびアンロックするハンドルロックと、前記外扉の開閉を検知する扉スイッチと、前記外扉の開放を許容する任意の時間帯を設定する外扉開放設定手段と、前記外扉開放設定手段により任意に設定された時間帯以外の時間帯と扉スイッチの状態信号に基づいて外扉の不正な開放を検知する不正外扉開放検知手段、この不正外扉開放検知手段により外扉が不正に開放された場合に警報を発する不正報知手段を備えたことにより、外扉開放設定手段により任意に設定された外扉の開放を許容する時間帯を、ルートマンが巡回してメンテナンス（例えば、商品のローディング）する自動販売機ごとの時間帯とすることにより、メンテナンス時には警報を発することがない一方、外扉開放設定手段により任意に設定された外扉の開放を許容する時間帯以外の時間帯に扉スイッチが外扉の開放を検知すると警報を発することができるので、ハンドルロックの破壊によりハンドルスイッチが動作した場合やキーシリンダーを開錠するキーを不当に入手して外扉が開放された場合にも警報を発することができるという効果を奏する。
【図面の簡単な説明】
【００１７】
【図１】本発明の実施の形態１にかかる自動販売機の全体構成を示すブロック図である。
【図２】本発明にかかる防犯警報プログラムのフローチャートである。
【図３】本発明が対象とする自動販売機の正面図である。
【図４】図４に示した自動販売機の扉開放図である。
【発明を実施するための形態】
【００１８】
以下、本発明の実施の形態にかかる自動販売機の防犯警報装置を図面に基づいて詳細に説明する。図１は本発明の実施の形態１にかかる自動販売機の全体構成を示すブロック図であり、図２は本発明にかかる防犯警報プログラムのフローチャートである。なお、自動販売機の全体構成は図３，図４に示すものと同一であるので重複する説明は省略し、適宜図３，図４を参照しつつ説明するものとする。
【００１９】
図１において、１は自動販売機の全体の制御を司る主制御部であり、この主制御部１には各種の実行プログラムを記憶したＲＯＭ，各種データを格納するＲＡＭ，次に示す従制御部からの入力信号により各種実行プログラムを実行するＣＰＵなどを備えている。前記主制御部１には従制御部としての入力装置２、硬貨識別制御部３、紙幣識別制御部４、照明灯制御部５、冷却／加熱制御部６、商品払出制御部７、扉スイッチＳＷ、表示ユニット２５、商品選択ボタン８２などが接続されている。
【００２０】
前記入力装置２は、商品設定価格，商品収納コラムの割付，商品選択ボタンの割付，外扉の開放を許容する時間帯などの各種設定を行う入力デバイス（リモートコントローラ）であり、入力装置２により設定された各種設定データが主制御部のＲＡＭに格納されて記憶される。この入力装置２が請求項１の外扉開放設定手段を構成し、前記主制御部１には入力装置（外扉開放設定手段）２により設定された時間帯に外扉２０の開放を許容し、前記入力装置（外扉開放設定手段）２により設定された時間帯以外の時間帯に外扉２０が開放された場合に警報を発する防犯警報プログラム（後述）が格納されているものである。
【００２１】
前記硬貨識別制御部３は、図３に示した硬貨投入口２１から投入された硬貨の真偽並びに金種を識別して正貨の場合には金種別にその枚数を計数するとともに合計金額を主制御部１に送信するものである。紙幣識別制御部４は、図３に示した紙幣挿入口２２に挿入された紙幣の真偽並びに金種を識別して正貨の場合に金種別にその枚数を計数するとともに合計金額を主制御部１に送信するものである。主制御部１は前記硬貨識別制御部３，紙幣識別制御部４から受信した合計金額に基づいて表示ユニット２５（図３も参照）に投入金額を表示する。
【００２２】
前記照明灯制御部５は、図３に示したディスプレイ室７０に展示された商品見本８１を照明する照明光源（ＬＥＤ）５１の点灯・消灯を制御する制御部である。  前記冷却／加熱制御部６は、図４に示した自動販売機本体１０の商品収納庫内の各商品収納室１１，１２，１３の下端に設置した冷却／加熱ユニットを作動させて庫内に収納した商品の温度が所定の温度となるように温度制御する制御部であり、前記商品払出制御部７は、商品選択ボタン８２により選択された商品を庫内の商品収納ラック４０（図４参照）に搭載した商品搬出装置を駆動して払い出すものである。
【００２３】
前記商品選択ボタン８２には、販売可能表示用光源としてのＬＥＤ８２ａ、売り切れ表示用光源としてのＬＥＤ８２ｂが内臓されている。そして、主制御部１のＲＯＭには、投入金額が商品設定価格に一致若しくは超過した場合に主制御部１から対応する商品選択ボタン８２に販売可能信号を送信して該当する商品選択ボタン８２の販売可能ランプ８２ａを点灯制御し、また、庫内の商品収納ラック４に収納された商品が売り切れた場合に主制御部１から対応する商品選択ボタン８２に売り切れ信号を送信して該当する商品選択ボタン８２の売り切れランプ８２ｂを点灯制御する実行プログラムが格納されているものである。
【００２４】
なお、表示ユニット２５には従来装置と同様にブザーが内蔵されているものであり、扉スイッチＳＷは自動販売機本体１０の開放前端部に設置されて外扉２０の開閉状態を検出するマイクロスイッチなどからなるものである。
【００２５】
さて、前述した主制御部１には本発明にかかる防犯警報プログラムが格納されている。この防犯警報プログラムは、入力装置２により設定された時間帯に外扉２０の開放を許容し、前記入力装置２により設定された時間帯以外の時間帯に外扉２０が開放された場合に警報を発するものであり、主制御部１には入力装置２により外扉２０を開放してメンテナンスを行う時間帯、つまり、外扉の開放を許容する任意の時間帯が予め設定されているものであり、この防犯警報プログラムが、設定された任意の時間帯以外の時間帯と扉スイッチの状態信号に基づいて外扉２０の不正な開放を検知する不正外扉開放検知手段、および前記不正外扉開放検知手段により外扉２０が不正に開放された場合に警報を発する不正報知手段を構成する。なお、メンテナンスを行う時間帯は、例えば、ルートマンが設置場所の異なる自動販売機を巡回してメンテナンス（例えば、消費のローディング）を行うロケーションでは自動販売機ごとにルートマンが巡回する時間帯を任意に設定し、また、個人所有の自動販売機では各人ごとに都合の良い時間帯に任意に設定されるものである。
【００２６】
前述した防犯警報プログラムを図２のフローチャートを参照して説明する。図２におけるステップ１では入力装置２により予め設定された任意の時間帯（例えば、午後３時〜午後４時）の開始時間（任意開始時刻ともいう）になったか否かを判定する。この場合、主制御部１は２４時間タイマーを有しており、２４時間タイマーの時刻と設定された任意開始時刻とを比較して開始時刻となったか否かを判定する。ステップ１で「Ｎ」と判定された場合にはステップ１に戻って任意開始時刻になるのを待つ。ステップ１で「Ｙ」と判定された場合にはステップ２に進んで扉スイッチＳＷの状態信号（オン・オフ）を監視する。ここで、扉スイッチＳＷの状態信号が「オン」となると外扉２０が開放された状態を表し、扉スイッチＳＷの状態信号が「オフ」となると外扉２０が閉じた状態を表わすものとする。ステップＳ２で「Ｎ」（扉スイッチＳＷが「オフ」）と判定された場合はステップＳ３に進んで設定された任意の時間帯の終了時間（任意終了時刻ともいう）になったか否かを判定する。ステップＳ３で「Ｎ」と判定された場合にはステップ２に戻る。ステップＳ３で「Ｙ」と判定された場合にはステップＳ１に戻る。
【００２７】
ステップＳ２で「Ｙ」（扉スッチＳＷが「オン」）と判定された場合にはステップ４に進み、ステップ４において表示ユニット２５に内蔵されたブザーを鳴動させるとともにすべての商品選択ボタン８２に内蔵されたＬＥＤ８２ａ，８２ｂを点灯若しくは点滅させる。また、ステップＳ４では任意に設定された時間帯以外の時間帯に外扉２０が不正に開放されたことをレジスターに記憶させるとともにタイマーを起動させる。その後、ステップＳ５に進んでステップＳ４で起動されたタイマーを監視して所定の遅延時間が完了したか否かを監視する。ステップＳ５で「Ｎ」（遅延時間中）と判定された場合にはステップＳ５に戻り、当該ステップＳ５で「Ｙ」（遅延時間完了）と判定された場合にはステップＳ６に進んでブザーの鳴動を停止およびＬＥＤ８２ａ，８２ｂを消灯させたうえでステップＳ７に進み、ステップＳ７で任意終了時刻になったか否かを監視し、ステップＳ７で「Ｎ」と判定された場合にはステップＳ７に戻る。ステップＳ７で「Ｙ」と判定された場合にはステップＳ８に進んでレジスター（任意に設定された時間帯以外の時間帯に外扉２０が不正に開放されたことを記憶するメモリー）をリセットしたうえでステップＳ１に戻る。なお、送信機能を備えた自動販売機においては、ステップＳ２で「Ｙ」（扉スッチＳＷが「オン」）と判定された場合には点線で示すステップＳ９で管理元に不正に外扉２０が開放された旨の信号を送信することもできる。
【００２８】
前述した実施の形態では発光による警報として商品選択ボタン８２に内蔵されたＬＥＤ８２ａ，８２ｂとしたものについて説明したが、図３に示したディスプレイ室７０に展示された商品見本８１を照明する照明光源（ＬＥＤ）を用いることができるものである。また、昨今の自動販売機では省エネのためにディスプレイ室７０に展示された商品見本８１を照明する照明光源を消灯するように構成されており、照明光源が消灯中であっても当該自動販売機が稼働中であることを報知するため、商品選択ボタン８２に内蔵されたＬＥＤ８２ａ，８２ｂのうち、青色表示される販売可能表示用光源としてのＬＥＤ８２ａを順次点灯させるように構成されているものもある。したがって、不正に外扉２０が開放された際にただ単にＬＥＤ８２ａ，８２ｂを点灯若しくは点滅させても自動販売機が稼働中であることを表示するためにＬＥＤ８２ａを順次点灯させるものとの区別がつきにくい。そこで、不正に外扉２０が開放された場合の光による警報を赤色表示される売り切れ表示用光源としてのＬＥＤ８２ｂのみを点灯（点滅）させて赤色発光させることにより、稼働中の表示と警報の表示を区別できるうえ赤色発光によって警報の効果を発揮できるものである。
【００２９】
なお、任意に設定された時間帯以外の時間帯に外扉２０を開放する必要が生じた場合に警報が報知されないようにするため、入力装置２から防犯警報プログラムを無効にする防犯無効命令を入力、若しくは複数の商品選択ボタン８２の同時操作や返却レバーと所定の商品選択ボタン８２の同時操作などにより前記防犯無効命令を与えることができるものである。
【００３０】
前述したように、この実施の形態にかかる自動販売機の防犯警報装置においては、商品を収納した自動販売機本体１０と、この自動販売機本体１０の前面に開閉自在に配設された外扉２０と、前記外扉２０に配設され、前記外扉２０を自動販売機本体１０の前面を閉鎖した状態にロックおよびアンロックするハンドルロック２７と、外扉２０の開閉を検知する扉スイッチＳＷと、前記外扉２０の開放を許容する時間帯を任意に設定する外扉開放設定手段（入力装置２）と、前記外扉開放設定手段（入力装置２）により任意に設定された時間帯以外の時間帯と扉スイッチＳＷの状態信号に基づいて外扉の不正な開放を検知する不正外扉開放検知手段（防犯警報プログラム）、この不正外扉開放検知手段により外扉２０が不正に開放された場合に警報を発する不正報知手段（防犯警報プログラム）を備えたことにより、外扉開放設定手段（入力装置２）により任意に設定される外扉２０の開放を許容する時間帯を、ルートマンが巡回してメンテナンス（例えば、商品のローディング）する自動販売機ごとの時間帯とすることにより、メンテナンス時には警報を発することがない一方、外扉開放設定手段（入力装置２）により任意に設定される外扉ＳＷの開放を許容する時間帯以外の時間帯に扉スイッチＳＷが外扉２０の開放を検知すると警報を発することができるので、ハンドルロック２７の破壊によりハンドルスイッチが動作した場合やキーシリンダー２７３を開錠するキーを不当に入手して外扉２０が開放された場合にも警報を発することができるものである。
【００３１】
前述した実施の形態では、外扉２０の開放を許容する時間帯を入力装置２により予め入力するものについて説明したが、入力装置２に防犯警報プログラムを無効にする防犯警報無効ボタンと当該無効を解除する無効解除ボタンを追加装備し、メンテナンスの開始時に前記防犯警報無効ボタンが操作された時刻を、外扉２０の開放を許容する時間帯の開始時刻とし、前記無効解除ボタンが操作された時刻を、外扉２０の開放を許容する時間帯の終了時刻とすることもできるものである。したがって、本発明は実施の形態に限定されるものではない。
【符号の説明】
【００３２】
１…主制御部、２…入力装置、１０…自動販売機本体、２０…外扉、２５…表示ユニット、２７…ハンドルロック、８２…商品選択ボタン、８２ａ，８２ｂ…ＬＥＤ。
【図１】
2016081294.tif 000003
【図２】
2016081294.tif 000004
【図３】
2016081294.tif 000005
【図４】
2016081294.tif 000006